Podtech/llm-jp-corpus-v4-ja_patent huggingface dataset:
【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
複数の画素が配列された画素配列と、
前記画素配列から信号を読み出して出力する読み出し部と、
出力部と、
を備え、
前記出力部は、
前記読み出し部から出力された第１の信号を伝達する第１の出力線と前記読み出し部から出力された第２の信号を伝達する第２の出力線との組を複数含む出力線群と、
複数の前記組のそれぞれについて前記第１の信号と前記第２の信号との差分信号を生成する複数の差分回路と、
少なくとも、前記読み出し部から前記第１の信号及び前記第２の信号が出力される期間において、浮遊状態にされる第１のダミー線と、
少なくとも、前記読み出し部から前記第１の信号及び前記第２の信号が出力される期間において、浮遊状態にされる第２のダミー線と、
を含み、
前記出力線群は、前記第１のダミー線と前記第２のダミー線との間に配されており、
前記読み出し部は、前記第１の出力線に出力される前記第１の信号を保持する第１の保持容量および前記第２の出力線に出力される前記第２の信号を保持する第２の保持容量を含み、
前記第１の出力線に出力される前記第１の信号には、前記第１の保持容量の容量値と前記第１の出力線の容量値との比によって決まるゲインがかかり、前記第２の出力線に出力される前記第２の信号には、前記第２の保持容量の容量値と前記第２の出力線の容量値との比によって決まるゲインがかかる、
ことを特徴とする撮像装置。
【請求項２】
前記出力部は、前記読み出し部から前記第１の信号及び前記第２の信号が出力される期間において、前記第１のダミー線と前記第２のダミー線とを浮遊状態に制御する制御部をさらに含む
ことを特徴とする請求項１に記載の撮像装置。
【請求項３】
前記制御部は、前記複数の差分回路が画像信号を出力した後に、前記第１のダミー線及び前記第２のダミー線の電位をリセット電位にリセットする
ことを特徴とする請求項２に記載の撮像装置。
【請求項４】
前記第１のダミー線と前記第２のダミー線とには、それぞれ、保持容量が接続されている
ことを特徴とする請求項１から３のいずれか１項に記載の撮像装置。
【請求項５】
前記第１のダミー線と前記第２のダミー線とは、それぞれ、前記差分回路まで延在している
ことを特徴とする請求項１から４のいずれか１項に記載の撮像装置。
【請求項６】
前記第１の信号は、画像信号にノイズ信号が重畳された光信号であり、
前記第２の信号は、前記ノイズ信号である
ことを特徴とする請求項１から５のいずれか１項に記載の撮像装置。
【請求項７】
前記読み出し部は、
前記画素配列の各列の画素から異なるタイミングで読み出された２つの信号の差分信号を増幅する複数の増幅部を含み、
前記第１の信号は、増幅された前記差分信号に前記増幅部のオフセットが重畳された信号であり、
前記第２の信号は、前記増幅部のオフセットの信号である
ことを特徴とする請求項１から５のいずれか１項に記載の撮像装置。
【請求項８】
複数の画素が配列された画素配列と、前記画素配列から信号を読み出して出力する読み出し部と、出力部とを有し、前記出力部が、前記読み出し部から出力された第１の信号を伝達する第１の出力線と前記読み出し部から出力された第２の信号を伝達する第２の出力線との組を複数含む出力線群と、複数の前記組のそれぞれについて前記第１の信号と前記第２の信号との差分信号をそれぞれ生成する複数の差分回路と、第１のダミー線と、第２のダミー線とを含み、前記出力線群が前記第１のダミー線と前記第２のダミー線との間に配されている撮像装置の制御方法であって、
前記読み出し部から前記第１の信号及び前記第２の信号が出力される期間において、前記第１のダミー線と前記第２のダミー線とを浮遊状態に制御する第１のステップと、
前記複数の差分回路が前記差分信号を出力した後に、前記第１のダミー線及び前記第２のダミー線をリセットする第２のステップと、
を含むことを特徴とする撮像装置の制御方法。
【請求項９】
前記第１のステップでは、前記読み出し部から前記第１の信号及び前記第２の信号が出力されるタイミングに同期して、前記第１のダミー線と前記第２のダミー線とを浮遊状態に制御し、
前記第２のステップでは、前記複数の差分回路が前記差分信号を出力し終わるタイミングに同期して、前記第１のダミー線及び前記第２のダミー線をリセットする
ことを特徴とする請求項８に記載の撮像装置の制御方法。
【請求項１０】
請求項１から７のいずれか１項に記載の撮像装置と、
前記撮像装置の撮像面へ像を形成する光学系と、
前記撮像装置から出力された信号を処理して画像データを生成する信号処理部と、
を備えたことを特徴とする撮像システム。
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
ネットワークを介して、画像表示装置に、連続する画像データを順次転送する画像転送装置であって、
前記画像データを記憶することが可能な記憶部と、
制御部と、
を備え、
前記制御部は、
前記ネットワークの接続中は、前記画像データを、順次前記画像表示装置に送信させ、前記ネットワークの異常切断を検知すると、その後、続きの前記画像データを、順次、前記記憶部に記憶させると共に、前記ネットワークの回復を検知すると、前記記憶部に記憶された前記画像データを、順次、前記画像表示装置に転送させることを特徴とする画像転送装置。
【請求項２】
画像を表示する表示画面をさらに備え、
前記制御部は、前記表示画面に表示された画像を順次キャプチャし、当該キャプチャした画像を前記画像データとして、前記ネットワークを介して前記画像表示装置に転送することを特徴とする請求項１に記載の画像転送装置。
【請求項３】
前記制御部は、動画ファイルを、前記連続した画像データとして、前記ネットワークを介して前記画像表示装置に転送することを特徴とする請求項１に記載の画像転送装置。
【請求項４】
前記制御部は、前記ネットワークの回復を検知した場合、前記記憶部に記憶された画像データを所定の間隔で間引きして、前記画像表示装置に転送することを特徴とする請求項３に記載の画像転送装置。
【請求項５】
ネットワークを介して画像転送装置から転送される画像データに基づいて、画像を表示させる画像表示装置であって、
画像表示制御部を備え、
前記画像表示制御部は、
前記ネットワークの接続中は、受信した前記画像データに基づいて画像を順次表示させると共に、前記ネットワークの異常切断を検知すると、検知した際に表示されている画像を、前記ネットワークが回復するまで表示させることを特徴とする画像表示装置。
【請求項６】
画像転送装置と画像表示装置とを備え、前記画像転送装置からネットワークを介して転送される画像データに基づいて前記画像表示装置が画像を表示させる、画像表示システムであって、
前記画像転送装置は、
前記画像データを記憶することが可能な記憶部と、
制御部と、
を備え、
前記制御部は、
前記ネットワークの接続中は、連続する画像データを、順次前記画像表示装置に転送させ、前記ネットワークの異常切断を検知すると、その後、続きの前記画像データを、順次、前記記憶部に記憶させると共に、前記ネットワークの回復を検知すると、前記記憶部に記憶された前記画像データを、順次、前記画像表示装置に送信させると共に、
前記画像表示装置は、
画像表示制御部を備え、
前記画像表示制御部は、
前記ネットワークの接続中は、受信した前記画像データに基づいて画像を順次表示させると共に、前記ネットワークの異常切断を検知すると、検知した際に表示されている画像を、前記ネットワークが回復するまで表示させることを特徴とする画像表示システム。
【請求項７】
画像転送装置において、ネットワークを介して、画像表示装置に、連続する画像データを順次転送させる方法であって、
（ａ）前記画像データを、前記ネットワークを介して前記画像表示装置に順次転送させる工程と、
（ｂ）前記ネットワークの状態を検知する工程と、
（ｃ）前記工程（ｂ）において、前記ネットワークの異常切断を検知した場合には、その後、続きの前記画像データを前記画像転送装置の備える記憶部に、順次記憶させる工程と、
（ｄ）前記工程（ｂ）において、前記ネットワークの回復を検知した場合には、前記記憶部に記憶された前記画像データを、順次、前記画像表示装置に転送させる工程と、
を、備えることを特徴とする画像データの転送方法。
【請求項８】
ネットワークに接続される画像表示装置において画像を表示させる方法であって、
（ａ）前記ネットワークを介して受信した前記画像データに基づいて画像を表示させる工程と、
（ｂ）前記ネットワークの状態を検知する工程と、
（ｃ）前記工程（ｂ）において、前記ネットワークの異常切断を検知した場合には、検知した際に表示させていた画像を、前記ネットワークの回復を検知するまで表示させる工程と、
を備えることを特徴とする画像表示方法。
【請求項９】
コンピュータプログラムであって、
ネットワークを介して、画像表示装置に接続される画像転送装置に、
連続する画像データを、前記ネットワークを介して前記画像表示装置に順次転送させる機能と、
前記ネットワークの状態を検知する機能と、
前記ネットワークの異常切断を検知した場合には、その後、続きの前記画像データを前記画像転送装置の備える記憶部に、順次記憶させる機能と、
前記ネットワークの回復を検知した場合には、前記記憶部に記憶された前記画像データを、順次、前記画像表示装置に転送させる機能と、
を実現させるためのコンピュータプログラム。
【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
カラーキャリブレーションに用いられるテストチャートにおける各色のパッチ数の決定
方法であって、
第１の色と第２の色のそれぞれについて、各階調値に対応する色空間における測色値を
取得するステップと、
前記第１の色の測色値に基づいて前記第１の色のパッチ数を求め、前記第２の色の測色
値に基づいて前記第２の色のパッチ数を求めるステップと、
を含むパッチ数の決定方法。
【請求項２】
取得した前記測色値から求められる前記第１の色と前記第２の色の前記色空間における
曲線の長さに基づいて、前記第１の色のパッチ数と前記第２の色のパッチ数を求める、請
求項１に記載のパッチ数の決定方法。
【請求項３】
前記第１の色の前記各階調値に対応する色空間における測色値間の距離の総和に基づい
て前記第１の色の曲線の長さを求め、前記第２の色の前記各階調値に対応する色空間にお
ける測色値間の距離の総和に基づいて前記第２の色の曲線の長さを求める、請求項２に記載のパッチ数の決定方法。
【請求項４】
前記第１の色の各パッチ間の測色値の距離と前記第２の色のパッチ間の測色値の距離と
が等しくなるように、前記第１の色のパッチ数と前記第２の色のパッチ数とを求める、請
求項１〜３のいずれかに記載のパッチ数の決定方法。
【請求項５】
さらに、前記第１の色と前記第２の色のそれぞれについて、媒体における前記色空間の
ばらつき度合いを取得するステップを含み、
前記第１の色と前記第２の色の前記色空間における曲線の長さと、前記媒体における前
記第１の色と前記第２の色の前記色空間の測色値のばらつき度合いに応じて、前記第１の
色と前記第２の色のパッチ数を求める、請求項１〜４のいずれかに記載のパッチ数の決定
方法。
【請求項６】
第１の色の複数のパッチと、前記第１の色の複数のパッチよりもパッチ数が多い第２の
色の複数のパッチと、を含むテストチャートを印刷するステップと、
前記第１の色の複数のパッチを測色して前記第１の色のキャリブレーションを行い、前
記第２の色の複数のパッチを測色して前記第２の色のキャリブレーションを行うステップ
と、
を含むキャリブレーション方法。
【請求項７】
第１の色の複数のパッチと、前記第１の色の複数のパッチよりもパッチ数が多い第２の
色の複数のパッチと、を備えるテストチャートを印刷するためのコントローラと、
前記第１の色の複数のパッチの測色結果を用いた第１の色のキャリブレーションによる
第１補正値と、前記第２の色の複数のパッチの測色結果を用いた第２の色のキャリブレー
ションによる第２補正値と、を記憶するメモリと、
を備える印刷装置。
【手続補正書】
【提出日】平成22年12月17日(2010.12.17)
【手続補正１】
【補正対象書類名】明細書
【補正対象項目名】発明の名称
【補正方法】変更
【補正の内容】
【発明の名称】テストチャート作成方法、及び、テストチャート
【手続補正２】
【補正対象書類名】特許請求の範囲
【補正対象項目名】全文
【補正方法】変更
【補正の内容】
【特許請求の範囲】
【請求項１】
カラーキャリブレーションに用いられるテストチャート作成方法であって、
複数色について、媒体における色空間の測色値のばらつき度合いを前記複数色毎に取得するステップと、
前記複数色毎に前記測色値のばらつき度合いに基づいてパッチ数を求めるステップと、
を含むテストチャート作成方法。
【請求項２】
前記測色値のばらつき度合いが大きいほど多くのパッチ数を割り当てる、請求項１に記載のテストチャート作成方法。
【請求項３】
前記測色値のばらつき度合いは、複数の媒体に記録された前記第１の色と前記第２の色の測色結果に基づいて求められる、請求項１〜２のいずれかに記載のテストチャート作成方法。
【請求項４】
さらに、前記第１の色と前記第２の色の前記色空間における曲線の長さに応じて、前記第１の色のパッチ数と前記第２の色のパッチ数が求められる、請求項１〜３のいずれかに記載のテストチャート作成方法。
【請求項５】
複数色のカラーキャリブレーションに用いられるテストチャートであって、
前記複数色毎に、複数のパッチを有し、
前記複数色毎の前記パッチ数は、媒体における色空間の測色値のばらつき度合いが大きいほど多くのパッチを有することを特徴するテストチャート。
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
データを送信する送信装置と、前記データを受信する受信装置とから構成される送受信システムにおいて、
前記送信装置は、コンテンツに用いられるオブジェクトの物理モデルを同定するためのパラメータを送信する送信手段を有し、
前記受信装置は、前記パラメータに基づいて物理シミュレーションを行うことにより、コンテンツを生成する生成手段を有する
送受信システム。
【請求項２】
前記送信手段は、前記オブジェクトの状態に関する時系列データを含むコンテンツデフォルト情報をさらに送信し、
前記生成手段は、前記オブジェクト情報及び前記コンテンツデフォルト情報に基づいて、コンテンツを生成する
請求項１に記載の送受信システム。
【請求項３】
前記送信手段は、前記オブジェクトの状態が物理シミュレーションにより算出可能である場合、前記オブジェクトの状態に関するデータを前記コンテンツデフォルト情報に含めずに、前記コンテンツデフォルト情報を送信し、
前記生成手段は、前記オブジェクトの状態を物理シミュレーションにより算出することにより、コンテンツを生成する
請求項２に記載の送受信システム。
【請求項４】
前記生成手段は、前記提示装置のサイズ及び前記オブジェクトのサイズに基づいて、前記提示装置で提示されるオブジェクトが、実世界におけるオブジェクトのサイズになるように、コンテンツを生成する
請求項１に記載の送受信システム。
【請求項５】
データを受信する受信装置とともに送受信システムを構成する、前記データを送信する送信装置において、
コンテンツに用いられるオブジェクトの物理モデルを同定するためのパラメータを送信する送信手段を備える
送信装置。
【請求項６】
前記送信手段は、前記オブジェクトの状態に関する時系列データを含むコンテンツデフォルト情報をさらに送信する
請求項５に記載の送信装置。
【請求項７】
データを受信する受信装置とともに送受信システムを構成する、前記データを送信する送信装置の送信方法において、
前記送信装置が、コンテンツに用いられるオブジェクトの物理モデルを同定するためのパラメータを送信するステップを含む
送信方法。
【請求項８】
データを受信する受信装置とともに送受信システムを構成する、前記データを送信する送信装置として、コンピュータを機能させるプログラムにおいて、
コンテンツに用いられるオブジェクトの物理モデルを同定するためのパラメータを送信する送信手段
として、コンピュータを機能させるためのプログラム。
【請求項９】
データを送信する送信装置とともに送受信システムを構成する、前記データを受信する受信装置において、
前記送信装置が、コンテンツに用いられるオブジェクトの物理モデルを同定するためのパラメータを送信する場合において、
前記パラメータに基づいて物理シミュレーションを行うことにより、コンテンツを生成する生成手段を備える
受信装置。
【請求項１０】
前記送信装置は、前記オブジェクトの状態に関する時系列データを含むコンテンツデフォルト情報をさらに送信し、
前記生成手段は、前記オブジェクト情報及び前記コンテンツデフォルト情報に基づいて、コンテンツを生成する
請求項９に記載の受信装置。
【請求項１１】
前記送信装置は、前記オブジェクトの状態が物理シミュレーションにより算出可能である場合、前記オブジェクトの状態に関するデータを前記コンテンツデフォルト情報に含めずに、前記コンテンツデフォルト情報を送信し、
前記生成手段は、前記オブジェクトの状態を物理シミュレーションにより算出することにより、コンテンツを生成する
請求項１０に記載の受信装置。
【請求項１２】
前記生成手段は、前記提示装置のサイズ及び前記オブジェクトのサイズに基づいて、前記提示装置で提示されるオブジェクトが、実世界におけるオブジェクトのサイズになるように、コンテンツを生成する
請求項９に記載の受信装置。
【請求項１３】
データを送信する送信装置とともに送受信システムを構成する、前記データを受信する受信装置の受信方法において、
前記送信装置が、コンテンツに用いられるオブジェクトの物理モデルを同定するためのパラメータを送信する場合において、
前記受信装置が、前記パラメータに基づいて物理シミュレーションを行うことにより、コンテンツを生成するステップを含む
受信方法。
【請求項１４】
データを送信する送信装置とともに送受信システムを構成する、前記データを受信する受信装置として、コンピュータを機能させるプログラムにおいて、
前記送信装置が、コンテンツに用いられるオブジェクトの物理モデルを同定するためのパラメータを送信する場合において、
前記パラメータに基づいて物理シミュレーションを行うことにより、コンテンツを生成する生成手段
として、コンピュータを機能させるためのプログラム。
【請求項１５】
データを送信する送信装置とともに送受信システムを構成する、前記データを受信する受信装置により受信された前記データに基づいて生成されるコンテンツを提示する提示装置において、
前記送信装置が、前記コンテンツに用いられるオブジェクトの物理モデルを同定するためのパラメータを送信する場合において、
前記パラメータに基づいて物理シミュレーションを行うことにより生成されるコンテンツを提示する提示手段を備える
提示装置。
【請求項１６】
提示されるコンテンツが鑑賞される鑑賞環境をセンシングするセンシング手段をさらに備え、
前記提示手段は、前記パラメータ及び前記センシング手段によりセンシングされた前記鑑賞環境に関する鑑賞環境情報に基づいて生成されるコンテンツを提示する
請求項１５に記載の提示装置。
【請求項１７】
前記提示装置を移動させる移動手段をさらに備え、
前記提示装置は、前記オブジェクトごとに個別に用意され、
前記移動手段は、生成されるコンテンツ上での前記オブジェクトの位置を表す情報に基づいて前記提示装置を移動させる
請求項１６に記載の提示装置。
【請求項１８】
データを送信する送信装置とともに送受信システムを構成する、前記データを受信する受信装置により受信された前記データに基づいて生成されるコンテンツを提示する提示装置の提示方法において、
前記送信装置が、前記コンテンツに用いられるオブジェクトの物理モデルを同定するためのパラメータを送信する場合において、
前記提示装置が、前記パラメータに基づいて物理シミュレーションを行うことにより生成されるコンテンツを提示するステップを含む
提示方法。
【請求項１９】
データを送信する送信装置とともに送受信システムを構成する、前記データを受信する受信装置により受信された前記データに基づいて生成されるコンテンツを提示する提示装置として、コンピュータを機能させるプログラムにおいて、
前記送信装置が、前記コンテンツに用いられるオブジェクトの物理モデルを同定するためのパラメータを送信する場合において、
前記パラメータに基づいて物理シミュレーションを行うことにより生成されるコンテンツを提示する提示手段
として、コンピュータを機能させるためのプログラム。
【請求項２０】
請求項８、請求項１４、又は請求項１９に記載のプログラムが記録されている記録媒体。
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
データを送信する送信装置と、前記データを受信する受信装置とから構成される送受信システムにおいて、
前記送信装置は、視覚及び聴覚以外の感覚で鑑賞するコンテンツ、又は３つ以上の感覚で鑑賞するコンテンツの感覚を再現するための感覚情報を送信する送信手段を有し、
前記受信装置は、前記感覚情報に基づいて、前記感覚情報に対応する感覚を与えるための提示を行う提示装置で提示を行うための提示データを生成する生成手段を有する
送受信システム。
【請求項２】
前記生成手段は、コンテンツを鑑賞するユーザの指示に従った、コンテンツに対する加工に関する情報である加工情報にも基づいて、前記提示データを生成する
請求項１に記載の送受信システム。
【請求項３】
前記送信手段は、前記コンテンツに用いられるオブジェクトごとの前記感覚情報を送信する
請求項２に記載の送受信システム。
【請求項４】
前記生成手段は、前記提示装置のサイズ及び前記オブジェクトのサイズに基づいて、前記提示装置で提示されるオブジェクトが、実世界におけるオブジェクトのサイズになるように、コンテンツの前記提示データを生成する
請求項１に記載の送受信システム。
【請求項５】
データを受信する受信装置とともに送受信システムを構成する、前記データを送信する送信装置において、
視覚及び聴覚以外の感覚で鑑賞するコンテンツ、又は３つ以上の感覚で鑑賞するコンテンツの感覚を再現するための感覚情報を送信する送信手段を備える
送信装置。
【請求項６】
前記送信手段は、前記コンテンツに用いられるオブジェクトごとの前記感覚情報を送信する
請求項５に記載の送信装置。
【請求項７】
データを受信する受信装置とともに送受信システムを構成する、前記データを送信する送信装置の送信方法において、
前記送信装置が、視覚及び聴覚以外の感覚で鑑賞するコンテンツ、又は３つ以上の感覚で鑑賞するコンテンツの感覚を再現するための感覚情報を送信するステップを含む
送信方法。
【請求項８】
データを受信する受信装置とともに送受信システムを構成する、前記データを送信する送信装置として、コンピュータを機能させるプログラムにおいて、
視覚及び聴覚以外の感覚で鑑賞するコンテンツ、又は３つ以上の感覚で鑑賞するコンテンツの感覚を再現するための感覚情報を送信する送信手段
として、コンピュータを機能させるためのプログラム。
【請求項９】
データを送信する送信装置とともに送受信システムを構成する、前記データを受信する受信装置において、
前記送信装置が、視覚及び聴覚以外の感覚で鑑賞するコンテンツ、又は３つ以上の感覚で鑑賞するコンテンツの感覚を再現するための感覚情報を送信する場合において、
前記感覚情報に基づいて、前記感覚情報に対応する感覚を与えるための提示を行う提示装置で提示を行うための提示データを生成する生成手段を備える
受信装置。
【請求項１０】
前記生成手段は、コンテンツを鑑賞するユーザの指示に従った、コンテンツに対する加工に関する情報である加工情報にも基づいて、前記提示データを生成する
請求項９に記載の受信装置。
【請求項１１】
前記生成手段は、前記提示装置のサイズ及び前記オブジェクトのサイズに基づいて、前記提示装置で提示されるオブジェクトが、実世界におけるオブジェクトのサイズになるように、コンテンツの前記提示データを生成する
請求項９に記載の受信装置。
【請求項１２】
データを送信する送信装置とともに送受信システムを構成する、前記データを受信する受信装置の受信方法において、
前記送信装置が、視覚及び聴覚以外の感覚で鑑賞するコンテンツ、又は３つ以上の感覚で鑑賞するコンテンツの感覚を再現するための感覚情報を送信する場合において、
前記受信装置が、前記感覚情報に基づいて、前記感覚情報に対応する感覚を与えるための提示を行う提示装置で提示を行うための提示データを生成するステップを含む
受信方法。
【請求項１３】
データを送信する送信装置とともに送受信システムを構成する、前記データを受信する受信装置として、コンピュータを機能させるプログラムにおいて、
前記送信装置が、視覚及び聴覚以外の感覚で鑑賞するコンテンツ、又は３つ以上の感覚で鑑賞するコンテンツの感覚を再現するための感覚情報を送信する場合において、
前記感覚情報に基づいて、前記感覚情報に対応する感覚を与えるための提示を行う提示装置で提示を行うための提示データを生成する生成手段
として、コンピュータを機能させるためのプログラム。
【請求項１４】
データを送信する送信装置とともに送受信システムを構成する、前記データを受信する受信装置により受信された前記データに基づいて生成されるコンテンツを提示する提示装置において、
前記送信装置が、視覚及び聴覚以外の感覚で鑑賞するコンテンツ、又は３つ以上の感覚で鑑賞するコンテンツの感覚を再現するための感覚情報を送信する場合において、
前記感覚情報に基づいて生成されるコンテンツを提示する提示手段を備える
提示装置。
【請求項１５】
提示されるコンテンツが鑑賞される鑑賞環境をセンシングするセンシング手段をさらに備え、
前記提示手段は、前記感覚情報及び前記センシング手段によりセンシングされた前記鑑賞環境に関する鑑賞環境情報に基づいて生成されるコンテンツを提示する
請求項１４に記載の提示装置。
【請求項１６】
前記提示装置を移動させる移動手段をさらに備え、
前記提示装置は、前記オブジェクトごとに個別に用意され、
前記移動手段は、生成されるコンテンツ上での前記オブジェクトの位置を表す情報に基づいて前記提示装置を移動させる
請求項１５に記載の提示装置。
【請求項１７】
データを送信する送信装置とともに送受信システムを構成する、前記データを受信する受信装置により受信された前記データに基づいて生成されるコンテンツを提示する提示装置の提示方法において、
前記送信装置が、視覚及び聴覚以外の感覚で鑑賞するコンテンツ、又は３つ以上の感覚で鑑賞するコンテンツの感覚を再現するための感覚情報を送信する場合において、
前記提示装置が、前記感覚情報に基づいて生成されるコンテンツを提示するステップを含む
提示方法。
【請求項１８】
データを送信する送信装置とともに送受信システムを構成する、前記データを受信する受信装置により受信された前記データに基づいて生成されるコンテンツを提示する提示装置として、コンピュータを機能させるプログラムにおいて、
前記送信装置が、視覚及び聴覚以外の感覚で鑑賞するコンテンツ、又は３つ以上の感覚で鑑賞するコンテンツの感覚を再現するための感覚情報を送信する場合において、
前記感覚情報に基づいて生成されるコンテンツを提示する提示手段
として、コンピュータを機能させるためのプログラム。
【請求項１９】
請求項８、請求項１３、又は請求項１８に記載のプログラムが記録されている記録媒体。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
データを送信する送信装置と、前記データを受信する受信装置とから構成される放送システムにおいて、
前記送信装置は、コンテンツに用いられるオブジェクトごとのオブジェクト情報を放送データとして送信する送信手段を有し、
前記受信装置は、前記オブジェクト情報に基づいて、コンテンツを生成する生成手段を有する
放送システム。
【請求項２】
前記送信手段は、前記オブジェクトの状態に関する時系列データを含むコンテンツデフォルト情報を放送データとしてさらに送信し、
前記生成手段は、前記オブジェクト情報及び前記コンテンツデフォルト情報に基づいて、コンテンツを生成する
請求項１に記載の放送システム。
【請求項３】
前記生成手段は、コンテンツを鑑賞するユーザの指示に従った、前記オブジェクトに対する加工に関する情報である加工情報にも基づいて、コンテンツを生成し、前記ユーザの指示に従った前記オブジェクトの加工の後に、前記オブジェクトの状態を徐々に前記コンテンツデフォルト情報に基づく状態へと遷移させる
請求項２に記載の放送システム。
【請求項４】
前記生成手段は、前記コンテンツデフォルト情報に基づいて、少なくとも前記オブジェクトの配置、向き、又は照明条件の設定を行い、その設定に従い、コンテンツを生成する
請求項２に記載の放送システム。
【請求項５】
前記生成手段は、前記コンテンツデフォルト情報に基づいて、少なくともユーザの、コンテンツに対する鑑賞位置又は向きの設定を行い、その設定に従い、コンテンツを生成する
請求項２に記載の放送システム。
【請求項６】
前記生成手段は、コンテンツを鑑賞するユーザの指示に従った、前記オブジェクトに対する加工に関する情報である加工情報にも基づいて、コンテンツを生成する
請求項１に記載の放送システム。
【請求項７】
前記生成手段は、コンテンツを提示するための提示装置のサイズに応じたコンテンツを生成する
請求項１に記載の放送システム。
【請求項８】
前記生成手段は、前記提示装置のサイズ及び前記オブジェクトのサイズに基づいて、前記提示装置で提示されるオブジェクトが、実世界におけるオブジェクトのサイズになるように、コンテンツを生成する
請求項７に記載の放送システム。
【請求項９】
データを受信する受信装置とともに放送システムを構成する、前記データを送信する送信装置において、
コンテンツに用いられるオブジェクトごとのオブジェクト情報を放送データとして送信する送信手段を備える
送信装置。
【請求項１０】
前記送信手段は、前記オブジェクトの状態に関する時系列データを含むコンテンツデフォルト情報を放送データとしてさらに送信する
請求項９に記載の送信装置。
【請求項１１】
データを受信する受信装置とともに放送システムを構成する、前記データを送信する送信装置の送信方法において、
前記送信装置が、コンテンツに用いられるオブジェクトごとのオブジェクト情報を放送データとして送信するステップを含む
送信方法。
【請求項１２】
データを受信する受信装置とともに放送システムを構成する、前記データを送信する送信装置として、コンピュータを機能させるプログラムにおいて、
コンテンツに用いられるオブジェクトごとのオブジェクト情報を放送データとして送信する送信手段
として、コンピュータを機能させるためのプログラム。
【請求項１３】
データを送信する送信装置とともに放送システムを構成する、前記データを受信する受信装置において、
前記送信装置が、コンテンツに用いられるオブジェクトごとのオブジェクト情報を放送データとして送信する場合において、
前記オブジェクト情報に基づいて、コンテンツを生成する生成手段を備える
受信装置。
【請求項１４】
前記送信装置は、前記オブジェクトの状態に関する時系列データを含むコンテンツデフォルト情報を放送データとしてさらに送信し、
前記生成手段は、前記オブジェクト情報及び前記コンテンツデフォルト情報に基づいて、コンテンツを生成する
請求項１３に記載の受信装置。
【請求項１５】
前記生成手段は、コンテンツを鑑賞するユーザの指示に従った、前記オブジェクトに対する加工に関する情報である加工情報にも基づいて、コンテンツを生成し、前記ユーザの指示に従った前記オブジェクトの加工の後に、前記オブジェクトの状態を徐々に前記コンテンツデフォルト情報に基づく状態へと遷移させる
請求項１４に記載の受信装置。
【手続補正２】
【補正対象書類名】明細書
【補正対象項目名】発明の名称
【補正方法】変更
【補正の内容】
【発明の名称】放送システム、送信装置、送信方法、受信装置、及びプログラム
【手続補正３】
【補正対象書類名】明細書
【補正対象項目名】０００１
【補正方法】変更
【補正の内容】
【０００１】
本発明は、放送システム、送信装置、送信方法、受信装置、及びプログラムに関し、特に、例えば、画像等のコンテンツの提示を、柔軟に行うことができるようにする放送システム、送信装置、送信方法、受信装置、及びプログラムに関する。
【手続補正４】
【補正対象書類名】明細書
【補正対象項目名】００２２
【補正方法】変更
【補正の内容】
【００２２】
本発明の第３の側面の受信装置は、データを送信する送信装置とともに放送システムを構成する、前記データを受信する受信装置であり、前記送信装置が、コンテンツに用いられるオブジェクトごとのオブジェクト情報を放送データとして送信する場合において、前記オブジェクト情報に基づいて、コンテンツを生成する生成手段を備える受信装置である。
【手続補正５】
【補正対象書類名】明細書
【補正対象項目名】００２３
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００３０
【補正方法】変更
【補正の内容】
【００３０】
本発明の第１ないし第３の側面によれば、コンテンツの提示を、柔軟に行うことが可能
となる。
【手続補正書】
【提出日】平成23年1月19日(2011.1.19)
【手続補正１】
【補正対象書類名】明細書
【補正対象項目名】００４２
【補正方法】変更
【補正の内容】
【００４２】
図１２は、キャリブレーションから受信開始までの手順を示すフローチャートである。
まず、受信を開始する前にデジタルベースバンド回路から周波数１及び周波数２の値を取得する（ステップＳ１１）。その値に基づいて、まず周波数１で発振を行う（ステップＳ１２）。このとき、発振周波数とダウンミキサとは、スイッチ等で切断してＤＣＯ出力を終端する。これにより、ローカル信号がダウンミキサに入力されるのを防ぐ。ＡＤ−ＰＬＬが収束した後、その時のＤＣＯの制御信号の情報（制御信号情報１）と分周器の分周数（分周数情報１）とをメモリに格納する（ステップＳ１２）。
【手続補正２】
【補正対象書類名】明細書
【補正対象項目名】００４３
【補正方法】変更
【補正の内容】
【００４３】
同様にして周波数２で発振させ、制御信号情報２と分周数情報２とをメモリに格納する（ステップＳ１３）。次に実際に信号の受信が開始される。このとき、発振回路はダウンミキサに接続される。さらに、メモリから制御信号情報１と分周数情報１とを読み出して、ＤＣＯ及び分周器の初期値としてセットする。そして、ＡＤ−ＰＬＬを動作させ、周波数１のローカル信号を得る（ステップＳ１４）。同様に周波数２を発振するときも、メモリから制御信号情報２と分周数情報２とを読み出して、ＤＣＯ及び分周器の初期値としてセットし、ＡＤ−ＰＬＬを動作させる（ステップＳ１５）。
【手続補正３】
【補正対象書類名】図面
【補正対象項目名】図１２
【補正方法】変更
【補正の内容】
【図１２】
2009194533.tif 000001
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
利用者端末と、情報配信装置と、を含み、
前記利用者端末は、
講演中に表示された対象画像が形成された媒体から、当該対象画像に関連づけて媒体上に表された開始位置指定情報を読み取る情報読み取り手段と、
前記読み取った開始位置指定情報を含んだ情報配信要求を、前記情報配信装置に送信する配信要求送信手段と、
を含み、
前記情報配信装置は、
前記講演の際に前記対象画像が表示されている状態で記録された、時間とともに変化する音声情報を少なくとも含む時系列情報を記憶する時系列情報記憶手段と、
前記利用者端末から送信された情報配信要求を受け付けた場合に、前記時系列情報のうち、前記受け付けた情報配信要求に含まれる開始位置指定情報に応じて定められる時点以降の音声情報を、前記利用者端末に対して配信する情報配信手段と、
を含み、
前記利用者端末は、前記情報配信要求に応じて前記情報配信装置が配信した音声情報を再生する手段をさらに含む
ことを特徴とする情報配信システム。
【請求項２】
前記媒体には、前記対象画像に関連づけて、それぞれ異なる開始位置を指定する複数の開始位置指定情報が表され、
前記情報読み取り手段は、前記複数の開始位置指定情報のうち、いずれか一つを読み取り、
前記情報配信手段は、前記情報読み取り手段が読み取った開始位置指定情報に応じて定められる時点以降の情報を、前記利用者端末に対して配信する
ことを特徴とする請求項１記載の情報配信システム。
【請求項３】
前記時系列情報は、互いの順序が定められた複数の音声データファイルを含んで構成され、
前記開始位置指定情報は、前記複数の音声データファイルのうちいずれか一つの音声データファイルを特定する情報を含み、
前記情報配信手段は、前記開始位置指定情報により特定される音声データファイル以降の順序の音声データファイルを、前記利用者端末に対して配信する
ことを特徴とする請求項１又は２記載の情報配信システム。
【請求項４】
前記開始位置指定情報は、前記複数の音声データファイルのうちいずれか一つの音声データファイルを特定する情報とともに、当該音声データファイルの途中の開始位置を指定する情報を含み、
前記情報配信手段は、前記開始位置指定情報により特定される音声データファイルの、前記開始位置指定情報により指定される開始位置以降の情報、及び、前記開始位置指定情報により特定される音声データファイルより後の順序の音声データファイルを、前記利用者端末に対して配信する
ことを特徴とする請求項３記載の情報配信システム。
【請求項５】
前記情報配信手段は、前記開始位置指定情報により特定される音声データファイル以降の順序の音声データファイルそれぞれの間に、所定のメッセージ情報を挿入して、前記利用者端末に対して配信する
こと特徴とする請求項３又は４記載の情報配信システム。
【請求項６】
講演の際に対象画像が表示されている状態で記録された、時間とともに変化する音声情報を少なくとも含む時系列情報を記憶する時系列情報記憶手段と、
利用者端末から送信される、前記対象画像が形成された媒体から読み取られた開始位置指定情報を含んだ情報配信要求を受け付ける手段と、
前記情報配信要求を受け付けた場合に、前記時系列情報のうち、前記受け付けた情報配信要求に含まれる開始位置指定情報に応じて定められる時点以降の音声情報を、前記利用者端末に対して配信し、前記利用者端末に再生させる情報配信手段と、
を含むことを特徴とする情報配信装置。
【請求項７】
講演の際に対象画像が表示されている状態で記録された、時間とともに変化する音声情報を少なくとも含む時系列情報を記憶手段に記憶させる手段、
利用者端末から送信される、前記対象画像が形成された媒体から読み取られた開始位置指定情報を含んだ情報配信要求を受け付ける手段、及び
前記情報配信要求を受け付けた場合に、前記時系列情報のうち、前記受け付けた情報配信要求に含まれる開始位置指定情報に応じて定められる時点以降の音声情報を、前記利用者端末に対して配信し、前記利用者端末に再生させる情報配信手段、
としてコンピュータを機能させるためのプログラム。
【手続補正書】
【提出日】平成23年5月11日(2011.5.11)
【手続補正１】
【補正対象書類名】特許請求の範囲
【補正対象項目名】請求項５
【補正方法】変更
【補正の内容】
【請求項５】
前記切替手段は、前記第２放送に基づく再生出力をしている際に、前記評価手段による評価値が第３閾値以上になった場合に、前記第１放送に基づく再生出力に切り替える、ことを特徴とする請求項１〜４のいずれか一項に記載の受信装置。
【手続補正２】
【補正対象書類名】特許請求の範囲
【補正対象項目名】請求項８
【補正方法】変更
【補正の内容】
【請求項８】
第１チャンネル数を有する第１チャンネル構成の音声コンテンツを含む第１放送と、前記第１チャンネル数よりも少ない第２チャンネル数を有する第２チャンネル構成の音声コンテンツを含む第２放送とによって同一番組が同一時間帯に放送される同時放送を受信する受信装置において使用される音声再生方法であって、
前記第１放送に関する放送波の受信品質を評価する評価工程と；
前記第１放送に基づく再生出力をしている際に、前記評価工程における評価値が所定閾値以下になった場合に、前記第２放送に基づく再生出力に切り替える切替工程と；を備え、
前記第１放送に基づく再生出力が行われる期間においては、前記評価値の変化に対応して、前記第１チャンネル数の音声信号を前記第２チャンネル数よりも多い数のスピーカのそれぞれに振り分けるための振り分け量を定めつつ、前記第１チャンネル数の音声信号から、前記スピーカに供給される出力音声信号を生成し、
前記切替工程の実行により前記第２放送に基づく再生出力に切り替えられた場合には、前記第２放送に含まれる前記第２チャンネル数の音声信号から、前記スピーカに供給される出力音声信号を生成する、
を備えることを特徴とする音声再生方法。
【手続補正３】
【補正対象書類名】明細書
【補正対象項目名】００１０
【補正方法】変更
【補正の内容】
【００１０】
請求項８に記載の発明は、第１チャンネル数を有する第１チャンネル構成の音声コンテンツを含む第１放送と、前記第１チャンネル数よりも少ない第２チャンネル数を有する第２チャンネル構成の音声コンテンツを含む第２放送とによって同一番組が同一時間帯に放送される同時放送を受信する受信装置において使用される音声再生方法であって、前記第１放送に関する放送波の受信品質を評価する評価工程と；前記第１放送に基づく再生出力をしている際に、前記評価工程における評価値が所定閾値以下になった場合に、前記第２放送に基づく再生出力に切り替える切替工程と；を備え、前記第１放送に基づく再生出力が行われる期間においては、前記評価値の変化に対応して、前記第１チャンネル数の音声信号を前記第２チャンネル数よりも多い数のスピーカのそれぞれに振り分けるための振り分け量を定めつつ、前記第１チャンネル数の音声信号から、前記スピーカに供給される出力音声信号を生成し、前記切替工程の実行により前記第２放送に基づく再生出力に切り替えられた場合には、前記第２放送に含まれる前記第２チャンネル数の音声信号から、前記スピーカに供給される出力音声信号を生成する、を備えることを特徴とする音声再生方法である。
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
配線部及び前記配線部の一端に設けられ、前記配線部よりも幅が広い接続端子を有する複数の配線と、
各々が、前記各配線の前記接続端子をそれぞれ被覆し、前記接続端子より幅が広い複数の中継パッドと、
前記複数の配線を被覆するとともに、前記複数の配線の接続端子及び前記複数の中継パッドの周縁を含む全体を開口する一つの第１のコンタクトホールが形成された層間絶縁膜と、
前記層間絶縁膜を被覆するとともに、前記複数の中継パッドを開口し、前記中継パッドより幅が狭い複数の第２のコンタクトホールが形成された保護絶縁膜と、
前記各第２のコンタクトホールを介して前記各中継パッドと接続するとともに、前記接続端子、前記中継パッド及び前記第２のコンタクトホールと幅のサイズが異なる複数の表面パッドと、を備えることを特徴とする半導体集積回路装置。
【請求項２】
互いに隣接している前記配線同士は、延在方向の長さが互いに異なり、前記表面パッドは、前記配線の延在方向と直交する方向において部分的に重なっていることを特徴とする請求項１に記載の半導体集積回路装置。
【請求項３】
前記第２のコンタクトホールの幅のサイズは前記接続端子、前記中継パッド及び前記表面パッドのそれぞれの幅のサイズより小さいことを特徴とする請求項１又は２に記載の半導体集積回路装置。
【請求項４】
前記層間絶縁膜は、ダブルゲートトランジスタのボトムゲート絶縁膜とトップゲート絶縁膜を有していることを特徴とする請求項１〜３のいずれか一項に記載の半導体集積回路装置。
【請求項５】
前記表面パッドは、前記ダブルゲートトランジスタのボトムゲートライン端子、トップゲートライン端子、ドレインライン端子の少なくともいずれかに形成されていることを特徴とする請求項４に記載の半導体集積回路装置。
【手続補正２】
【補正対象書類名】明細書
【補正対象項目名】０００４
【補正方法】変更
【補正の内容】
【０００４】
以上の課題を解決するため、請求項１に係る発明によれば、
配線部及び前記配線部の一端に設けられ、前記配線部よりも幅が広い接続端子を有する複数の配線と、
各々が、前記各配線の前記接続端子をそれぞれ被覆し、前記接続端子より幅が広い複数の中継パッドと、
前記複数の配線を被覆するとともに、前記複数の配線の接続端子及び前記複数の中継パッドの周縁を含む全体を開口する一つの第１のコンタクトホールが形成された層間絶縁膜と、
前記層間絶縁膜を被覆するとともに、前記複数の中継パッドを開口し、前記中継パッドより幅が狭い複数の第２のコンタクトホールが形成された保護絶縁膜と、
前記各第２のコンタクトホールを介して前記各中継パッドと接続するとともに、前記接続端子、前記中継パッド及び前記第２のコンタクトホールと幅のサイズが異なる複数の表面パッドと、を備えることを特徴とする。
前記層間絶縁膜は、ダブルゲートトランジスタのボトムゲート絶縁膜とトップゲート絶縁膜を有していてもよい。
前記表面パッドは、前記ダブルゲートトランジスタのボトムゲートライン端子、トップゲートライン端子、ドレインライン端子の少なくともいずれかに形成されていてもよい。
前記第２のコンタクトホールの幅のサイズは前記接続端子、前記中継パッド及び前記表面パッドのそれぞれの幅のサイズより小さくてもよい。
互いに隣接している前記配線同士は、延在方向の長さが互いに異なり、前記表面パッドは、前記配線の延在方向と直交する方向において部分的に重なっていてもよい。
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
以下の工程を含むことを特徴とする半導体装置の製造方法：
（ａ）上面、前記上面に形成された複数のリード電極、および前記上面とは反対側の下面を有する配線基板を準備する工程；
（ｂ）第１主面、前記第１主面に形成された複数の第１パッド電極、および前記第１主面とは反対側の第１裏面を有する第１半導体チップを、前記第１裏面が前記配線基板の前記上面と対向するように、前記配線基板の前記上面上に搭載する工程；
（ｃ）前記複数の第１パッド電極が露出するように、前記第１半導体チップの前記第１主面上にスペーサを搭載する工程；
（ｄ）前記第１半導体チップの前記複数の第１パッド電極と前記配線基板の前記複数のリード電極とを、複数の第１ワイヤを介してそれぞれ電気的に接続する工程；
（ｅ）第２主面、前記第２主面に形成された複数の第２パッド電極、および前記第２主面とは反対側の第２裏面を有する第２半導体チップを、前記第２裏面が前記スペーサと対向するように、前記スペーサ上に搭載する工程；
（ｆ）前記第２半導体チップの前記複数の第２パッド電極と前記配線基板の前記複数のリード電極とを、複数の第２ワイヤを介してそれぞれ電気的に接続する工程；
ここで、
前記複数の第１パッド電極は、前記配線基板の前記リード電極と電気的に接続されない未接続パッド電極を有しており、
前記（ｅ）工程に先立って、前記未接続パッド電極上にダミーパターンを配置しておき、
前記（ｅ）工程では、前記複数の第２パッド電極のうちの一つが前記ダミーパターン上に位置するように、前記第２半導体チップを前記スペーサ上に搭載する。
【請求項２】
請求項１記載の半導体装置の製造方法において、
前記（ｆ）工程では、キャピラリで前記第２ワイヤの一部を前記第２パッド電極に押し付けることで、前記第２ワイヤと前記第２パッド電極とを接続することを特徴とする半導体装置の製造方法。
【請求項３】
請求項２記載の半導体装置の製造方法において、
前記（ｆ）工程の後、前記第１半導体チップ、前記第２半導体チップ、前記スペーサ、前記複数の第１ワイヤおよび前記複数の第２ワイヤを樹脂で封止することを特徴とする半導体装置の製造方法。
【請求項４】
請求項３記載の半導体装置の製造方法において、
前記ダミーパターンは、前記第１ワイヤから成り、
前記（ｄ）工程において、前記ダミーパターンを前記未接続パッド電極に接合することを特徴とする半導体装置の製造方法。
【請求項５】
請求項３記載の半導体装置の製造方法において、
前記ダミーパターンは、樹脂またはペースト材料から成り、
前記（ｅ）工程に先立って、前記未接続パッド電極上に前記樹脂または前記ペースト材料を塗布し、熱処理を施すことを特徴とする半導体装置の製造方法。
【請求項６】
請求項３記載の半導体装置の製造方法において、
前記ダミーパターンは、前記スペーサの一部から成り、
前記（ｅ）工程に先立って、前記スペーサの前記一部が前記未接続パッド電極上に位置するように、前記第１半導体チップの前記第１主面上に前記スペーサを搭載することを特徴とする半導体装置の製造方法。
【請求項７】
上面、前記上面に形成された複数のリード電極、および前記上面とは反対側の下面を有する配線基板と、
第１主面、前記第１主面に形成された複数の第１パッド電極、および前記第１主面とは反対側の第１裏面を有し、前記第１裏面が前記配線基板の前記上面と対向するように、前記配線基板の前記上面上に搭載された第１半導体チップと、
前記複数の第１パッド電極が露出するように、前記第１半導体チップの前記第１主面上に搭載されたスペーサと、
第２主面、前記第２主面に形成された複数の第２パッド電極、および前記第２主面とは反対側の第２裏面を有し、前記第２裏面が前記スペーサと対向するように、前記スペーサ上に搭載された第２半導体チップと、
前記第１半導体チップの前記複数の第１パッド電極と前記配線基板の前記複数のリード電極とを、それぞれ電気的に接続する複数の第１ワイヤと、
前記第２半導体チップの前記複数の第２パッド電極と前記配線基板の前記複数のリード電極とを、それぞれ電気的に接続する複数の第２ワイヤと、
を含み、
前記複数の第１パッド電極は、前記配線基板の前記リード電極と電気的に接続されない未接続パッド電極を有しており、
前記未接続パッド電極上には、ダミーパターンが配置されており、
前記第２半導体チップは、前記複数の第２パッド電極のうちの一つが前記ダミーパター
ン上に位置するように、前記スペーサ上に搭載されていることを特徴とする半導体装置。